【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
水素ステーションパッケージユニットの筐体内に配置されるものであり、支持部材に水素ガスを供給・遮断又は制御するための各種バルブ類を搭載して集積化したことを特徴とする水素ステーションパッケージユニット用のバルブユニット。
【請求項２】
筐体内に少なくとも圧縮機ユニットと複数の水素用の蓄圧器とバルブユニットを有し、このバルブユニットは、支持部材に水素ガスを供給・遮断又は制御するための各種のバルブ群を搭載して集積化した状態で構成されたことを特徴とする水素ステーションパッケージユニット。
【請求項３】
前記バルブユニットは、前記支持部材の一方の面側に、各種のバルブ類を集積化して配置した請求項１又は２に記載の水素ステーションパッケージユニット。
【請求項４】
前記バルブユニットは、前記筐体内に縦方向に配置した請求項１乃至３の何れか１項に記載の水素ステーションパッケージユニット。
【請求項５】
前記バルブユニットは、前記蓄圧器よりも手前で分岐し、前記蓄圧器よりも後ろで集合する並列した複数の流路を有し、各流路には、前記圧縮機ユニットから前記蓄圧器までの水素ガスの供給を開閉する複数の第１バルブ群と、前記蓄圧器から水素ガスの流出口まで水素ガスの供給を開閉する複数の第２バルブ群と、前記流路内の水素ガスをベントする複数のベントバルブ群がそれぞれ設置され、前記第１バルブ群と前記第２バルブ群と前記ベントバルブ群は、それぞれユニット内の異なる所定領域内に集積化された状態で配置されている請求項２に記載の水素ステーションパッケージユニット。
【請求項６】
複数の前記流路は、前記蓄圧器から水素ガスを供給する順に短くなっている請求項５に記載の水素ステーションパッケージユニット。
【請求項７】
複数の前記流路は、略同じ長さに設けられている請求項５に記載の水素ステーションパッケージユニット。
【請求項８】
少なくとも前記第１バルブ群と前記第２バルブ群は、ボールバルブである請求項５乃至７の何れか１項に記載の水素ステーションパッケージユニット。
【請求項９】
前記筐体は、直方体形状を有しており、この筐体の下部収納室に複数の長尺タンク形状の蓄圧器を並置した状態で配置し、前記下部収納室の上部に前記圧縮機ユニットが配置され、前記バルブユニットは、前記下部収納室の上部で、かつ前記蓄圧器の長手方向に沿って前記圧縮機ユニットと並置する状態に設けられている請求項２に記載の水素ステーションパッケージユニット。
【請求項１０】
前記バルブユニットは、前記圧縮機ユニットからの水素ガスの流入口の近傍に前記第１バルブ群が、この第１バルブ群の下方に前記第２バルブ群が配置されるとともに、前記第１及び前記第２バルブ群と前記圧縮機ユニット側との間の領域に前記ベントバルブ群がそれぞれ配置されている請求項５乃至９の何れか１項に記載の水素ステーションパッケージユニット。
【請求項１１】
請求項１乃至１０の何れか１項に記載の水素ステーションパッケージユニットを用いて水素ステーションを構成したことを特徴とする簡易型水素ステーション。
【手続補正２】
【補正対象書類名】明細書
【補正対象項目名】００１２
【補正方法】変更
【補正の内容】
【００１２】
請求項２に係る発明は、筐体内に少なくとも圧縮機ユニットと複数の水素用の蓄圧器とバルブユニットを有し、このバルブユニットは、支持部材に水素ガスを供給・遮断又は制御するための各種のバルブ群を搭載して集積化した状態で構成されたことを特徴とする水素ステーションパッケージユニットである。
請求項３に係る発明は、バルブユニットは、支持部材の一方の面側に、各種のバルブ類を集積化して配置した水素ステーションパッケージユニットである。
請求項４に係る発明は、バルブユニットは、筐体内に縦方向に配置した水素ステーションパッケージユニットである。
【手続補正３】
【補正対象書類名】明細書
【補正対象項目名】００１３
【補正方法】変更
【補正の内容】
【００１３】
請求項５に係る発明は、バルブユニットは、蓄圧器よりも手前で分岐し、蓄圧器よりも後ろで集合する並列した複数の流路を有し、各流路には、圧縮機ユニットから蓄圧器までの水素ガスの供給を開閉する複数の第１バルブ群と、蓄圧器から水素ガスの流出口まで水素ガスの供給を開閉する複数の第２バルブ群と、流路内の水素ガスをベントする複数のベントバルブ群がそれぞれ設置され、第１バルブ群と第２バルブ群とベントバルブ群は、それぞれユニット内の異なる所定領域内に集積化された状態で配置されている水素ステーションパッケージユニットである。
【手続補正４】
【補正対象書類名】明細書
【補正対象項目名】００１４
【補正方法】変更
【補正の内容】
【００１４】
請求項６に係る発明は、複数の流路は、蓄圧器から水素ガスを供給する順に短くなっている水素ステーションパッケージユニットである。
【手続補正５】
【補正対象書類名】明細書
【補正対象項目名】００１５
【補正方法】変更
【補正の内容】
【００１５】
請求項７に係る発明は、複数の流路は、略同じ長さに設けられている水素ステーションパッケージユニットである。
【手続補正６】
【補正対象書類名】明細書
【補正対象項目名】００１６
【補正方法】変更
【補正の内容】
【００１６】
請求項８に係る発明は、少なくとも第１バルブ群と第２バルブ群は、ボールバルブである水素ステーションパッケージユニットである。
【手続補正７】
【補正対象書類名】明細書
【補正対象項目名】００１７
【補正方法】変更
【補正の内容】
【００１７】
請求項９に係る発明は、筐体は、直方体形状を有しており、この筐体の下部収納室に複数の長尺タンク形状の蓄圧器を並置した状態で配置し、下部収納室の上部に圧縮機ユニットが配置され、バルブユニットは、下部収納室の上部で、かつ蓄圧器の長手方向に沿って圧縮機ユニットと並置する状態に設けられている水素ステーションパッケージユニットである。
【手続補正８】
【補正対象書類名】明細書
【補正対象項目名】００１８
【補正方法】変更
【補正の内容】
【００１８】
請求項１０に係る発明は、バルブユニットは、圧縮機ユニットからの水素ガスの流入口の近傍に第１バルブ群が、この第１バルブ群の下方に第２バルブ群が配置されるとともに、第１及び第２バルブ群と圧縮機ユニット側との間の領域にベントバルブ群がそれぞれ配置されている水素ステーションパッケージユニットである。
【手続補正９】
【補正対象書類名】明細書
【補正対象項目名】００１９
【補正方法】変更
【補正の内容】
【００１９】
請求項１１に係る発明は、水素ステーションパッケージユニットを用いて水素ステーションを構成したことを特徴とする簡易型水素ステーションである。
【手続補正１０】
【補正対象書類名】明細書
【補正対象項目名】００２１
【補正方法】変更
【補正の内容】
【００２１】
請求項８に係る発明は、ボデーの入口と一次側領域との間にテーパ形状部を備えた高圧用フィルタである。
【手続補正１１】
【補正対象書類名】明細書
【補正対象項目名】００２２
【補正方法】変更
【補正の内容】
【００２２】
請求項９に係る発明は、高圧水素の供給ラインに高圧用フィルタを用いたことを特徴とする水素ステーションである。
【手続補正１２】
【補正対象書類名】明細書
【補正対象項目名】００２４
【補正方法】変更
【補正の内容】
【００２４】
これに加え、バルブユニットでは、流路やバルブを支持部材に集積化して搭載しているため、水素ステーションの整備の際には、概ねバルブユニットを中心に点検等を行えば良いので、水素ステーションの整備性を向上させることができる。
請求項３に係る発明によると、バルブユニットは、支持部材の一方の面側に、各種のバルブ類を集積化して配置しているので、製造時には支持部材への各種のバルブ類の取付及び配管を同一面側で行うことができるので施工性が向上すると共に、点検、整備作業も同一面側で行うことができるので作業性が向上する。
請求項４に係る発明によると、バルブユニットは、筐体内に縦方向に配置したので、水素ステーションパッケージ内にバルブユニットを取付けるための配置スペースを最小化して、水素ステーションパッケージユニットを小型に構成することができる。
【手続補正１３】
【補正対象書類名】明細書
【補正対象項目名】００２５
【補正方法】変更
【補正の内容】
【００２５】
請求項５に係る発明によると、バルブユニットは、蓄圧器よりも手前で分岐し、蓄圧器よりも後ろで集合する並列した複数の流路を有し、各流路には、圧縮機ユニットから蓄圧器までの水素ガスの供給を開閉する複数の第１バルブ群と、蓄圧器から水素ガス供給口まで水素ガスの供給を開閉する複数の第２バルブ群と、流路内の水素ガスをベントする複数のベントバルブ群がそれぞれ設置されているので、第１バルブ群のバルブと第２バルブ群のバルブを適宜開閉して流路を切り替えることにより、蓄圧器毎に水素の充填と取出しを行うことができ、第１バルブ群のバルブと第２バルブ群のバルブ、さらベントバルブ群のバルブを適宜開閉して流路を切り替えることにより、水素ステーションパッケージに窒素ガスを供給し、流路内に残留する水素ガスをパージすることができる。
【手続補正１４】
【補正対象書類名】明細書
【補正対象項目名】００２７
【補正方法】変更
【補正の内容】
【００２７】
請求項６に係る発明によると、複数の流路は、蓄圧器から水素ガスを供給する順に短くなっているので、水素を供給する順番が後になる蓄圧器に接続された流路ほど圧力損失が少なくなるため、水素を効率的に供給することができる。
【手続補正１５】
【補正対象書類名】明細書
【補正対象項目名】００２８
【補正方法】変更
【補正の内容】
【００２８】
請求項７に係る発明によると、複数の流路は略同じ長さに設けられているので、各蓄圧器から供給される水素ガスの圧力を調整可能に構成されている場合には、各流路の圧力損失にバラツキの影響を考慮することなく水素ガスを供給することができる。
【手続補正１６】
【補正対象書類名】明細書
【補正対象項目名】００２９
【補正方法】変更
【補正の内容】
【００２９】
請求項８に係る発明によると、少なくとも第１バルブ群と第２バルブ群は、ボールバルブであるので、従来のニードルバルブに比べてバルブのＣｖ値が大幅に大きくなり、バルブの水素流量が大幅に増加するため、水素ステーションから燃料電池自動車への水素供給に要する時間を短縮することができる。これに加え、バルブのＣｖ値が大きいために配管での若干の圧力損失をカバーできるので、配管の設計の自由度が増し、製造性やメンテナンス性を向上させた配管設計を採用することができる。
【手続補正１７】
【補正対象書類名】明細書
【補正対象項目名】００３０
【補正方法】変更
【補正の内容】
【００３０】
請求項９に係る発明によると、水素ステーションパッケージユニットは、直方体形状の筐体を上下方向に二分し、下部収納室に複数の長尺タンク形状の蓄圧器を並置した状態で配置して、下部収納室の上部に圧縮機ユニットとバルブユニットが蓄圧器の長手方向に沿って並置する状態に設けられているので、筐体の短尺方向の幅を狭くして小型の水素ステーションパッケージユニットを構成することができる。
【手続補正１８】
【補正対象書類名】明細書
【補正対象項目名】００３２
【補正方法】変更
【補正の内容】
【００３２】
請求項１０に係る発明によるとバルブユニットは、圧縮機ユニットからの水素ガスの流入口の近傍に第１バルブ群が、この第１バルブ群の下方に第２バルブ群が配置されるとともに、第１群及び第２バルブ群と圧縮機ユニット側との間の領域にベントバルブ群がそれぞれ配置されているので、第１バルブ群、第２バルブ群及びベントバルブ群を、圧縮機ユニットから蓄圧器への水素ガスの流れを考慮して効率よく集積化して配置することができ、コンパクト化を達成しつつも、製造性や整備性を向上させることができる。
【手続補正１９】
【補正対象書類名】明細書
【補正対象項目名】００３３
【補正方法】変更
【補正の内容】
【００３３】
請求項１１に係る発明によると、本発明に係る水素ステーションパッケージユニットを用いて水素ステーションを構成したので、水素ステーションに最小限必要な機能をパッケージ化して小型の筐体に収納して設置することができるため、水素ステーションの設置に必要な敷地面積を大幅に削減することができる。特に、オフサイト方式で水素ステーションを建設する場合には、郊外、大都会の狭小地や従来のガソリンスタンドにも簡易型水素ステーションを設置することができる。